(57)【要約】【課題】容器の配置を変更する際の手間を低減可能な陳列システム等を提供する。【解決手段】第１回転ユニット５０１、第２回転ユニット５０２、および第３回転ユニット５０３を陳列装置３０の幅方向に移動可能に設け、一の容器とこの一の容器に隣接する他の容器との間の間隙を調整できるようにしている。ここで例えば、第１回転ユニット５０１にて新たに陳列される容器と、第２回転ユニット５０２に既に陳列されていた容器との間の間隙が大きくなってしまう場合、移動部材９２０を操作し、矢印Ａおよび矢印Ｂに示す方向に、第２回転ユニット５０２および第３回転ユニット５０３を移動させる。これにより上記間隔が狭まるようになる。【選択図】図１０
2011147565.tif 000002
【特許請求の範囲】
【請求項１】
外周面に標記が付された容器と、
前記容器を陳列する陳列装置と、
を備え、
前記陳列装置は、
投入部に投入された前記容器を一方向に且つ当該容器の取り出し部まで移動させる移動手段と、
前記陳列装置のうちの前記投入部が設けられている側から当該陳列装置のうちの前記取り出し部が設けられている側にかけて設けられるとともに前記移動手段により移動する前記容器の移動経路の一方の側方側に設けられ、当該容器のうちの当該一方の側方側に位置する部位に接触可能な第１の接触部材と、
前記陳列装置のうちの前記投入部が設けられている側から当該陳列装置のうちの前記取り出し部が設けられている側にかけて且つ前記移動経路の他方の側方側に設けられるとともに前記第１の接触部材との間に間隙を有した状態で配置され、前記容器のうちの当該他方の側方側に位置する部位に接触可能な第２の接触部材と、
前記第１の接触部材および前記第２の接触部材の少なくとも一方を前記一方向と直交する方向である前記陳列装置の幅方向に移動させる移動機構と、
を備えることを特徴とする陳列システム。
【請求項２】
前記移動機構は、前記第１の接触部材と前記第２の接触部材との間に設けられた前記間隙の大きさを維持しながら当該第１の接触部材および当該第２の接触部材の両者を前記幅方向に移動させることを特徴とする請求項１記載の陳列システム。
【請求項３】
前記移動機構は、ユーザの操作を受け付ける受け付け部材を備え、当該受け付け部材にて受け付けた操作力を用いて前記第１の接触部材および前記第２の接触部材の少なくとも一方を前記幅方向に移動させ、
前記受け付け部材は、前記陳列装置の上部側に設けられていることを特徴とする請求項１記載の陳列システム。
【請求項４】
前記第１の接触部材は、前記移動経路の前記一方の側方側から当該移動経路上に突出し且つ前記容器が移動する前記一方向において並んで配置された複数の突出部を備え、当該容器の前記標記が特定の方向を向いていない場合に当該突出部を当該容器の予め定められた部位に接触させ当該容器を周方向に回転させることを特徴とする請求項１乃至３の何れかに記載の陳列システム。
【請求項５】
前記第１の接触部材は、前記移動経路を移動する前記容器の前記標記が特定の方向を向いていない場合に当該容器の予め定められた部位を下方から支持し当該容器を当該移動経路の前記他方の側方側に傾斜させることを特徴とする請求項１乃至３の何れかに記載の陳列システム。
【請求項６】
前記容器は、前記第１の接触部材により下方から支持される前記予め定められた部位に、前記標記が前記特定の方向を向いた場合に当該第１の接触部材による当該支持を解除する部位を有していることを特徴とする請求項５記載の陳列システム。
【請求項７】
外周面に標記が付された容器を陳列可能な陳列装置であって、
投入部に投入された前記容器を一方向に且つ当該容器の取り出し部まで移動させる移動手段と、
前記陳列装置のうちの前記投入部が設けられている側から当該陳列装置のうちの前記取り出し部が設けられている側にかけて設けられるとともに前記移動手段により移動する前記容器の移動経路の一方の側方側に設けられ、当該容器のうちの当該一方の側方側に位置する部位に接触可能な第１の接触部材と、
前記陳列装置のうちの前記投入部が設けられている側から当該陳列装置のうちの前記取り出し部が設けられている側にかけて且つ前記移動経路の他方の側方側に設けられるとともに前記第１の接触部材との間に間隙を有した状態で配置され、前記容器のうちの当該他方の側方側に位置する部位に接触可能な第２の接触部材と、
前記第１の接触部材および前記第２の接触部材の少なくとも一方を前記一方向と直交する方向である前記陳列装置の幅方向に移動させる移動機構と、
を備えることを特徴とする陳列装置。
【請求項８】
前記移動機構は、前記第１の接触部材と前記第２の接触部材との間に設けられた前記間隙の大きさを維持しながら当該第１の接触部材および当該第２の接触部材の両者を前記幅方向に移動させることを特徴とする請求項７記載の陳列装置。
【請求項９】
一対の前記第１の接触部材および前記第２の接触部材は、複数設けられるとともに前記陳列装置の前記幅方向に並んだ状態で配置されていることを特徴とする請求項７又は８に記載の陳列装置。
【請求項１０】
前記第１の接触部材は、前記移動経路の前記一方の側方側から当該移動経路上に突出し且つ前記容器が移動する前記一方向において並んで配置された複数の突出部を備え、当該容器の前記標記が特定の方向を向いていない場合に当該突出部を当該容器の予め定められた部位に接触させ当該容器を周方向に回転させることを特徴とする請求項７乃至９の何れかに記載の陳列装置。
【請求項１１】
前記容器は、外周面に凹凸が形成され容器本体の開口を塞ぐキャップを更に備え、
前記第１の接触部材は、前記移動経路を移動する前記容器の前記標記が特定の方向を向いていない場合に当該容器の予め定められた部位を下方から支持し当該容器を当該移動経路の前記他方の側方側に傾斜させ、
前記第２の接触部材は、前記第１の接触部材により傾斜した前記容器の前記キャップの前記外周面に接触するように設けられ前記移動経路を移動する当該容器に対する抗力を当該外周面に付与することを特徴とする請求項７乃至９の何れかに記載の陳列装置。
【発明の詳細な説明】
【技術分野】
【０００１】
本発明は、容器の陳列を行う陳列システム等に関する。
【背景技術】
【０００２】
例えばコンビニエンスストアなどにおいては、ペットボトルなど飲料が充填された容器が、陳列装置に縦置きに載せられて販売される。そしてこのような陳列装置は、例えば、容器自身の自重により陳列ケースの前方に容器が移動するように傾斜した状態で配置される。そして、手前側（最前列）の１つの容器を抜き取ると、後続の容器が自重で手前側に移動する。
ここで陳列装置の容器が載せられる箇所には、容器の滑りの良さから例えばプラスチックの平板が設けられる。また、近年では回転可能なローラを多数配置した陳列装置が提案されている（例えば、特許文献１参照）。また、容器の補充は陳列装置の後方側から行うのが一般的であるが、手前側からの容器の投入を可能とするとともに、奥側に移動した容器が、再度手前側に移動し陳列される陳列装置も提案されている（例えば、特許文献２参照）。さらに、容器に関するものとして、缶底に形成された環状凸部の内周壁に、内側凹部と縦リブとが円周方向に交互に形成された缶が提案されている（例えば、特許文献３参照）。
【先行技術文献】
【特許文献】
【０００３】
【特許文献１】特開平１１−１５５７０１号公報
【特許文献２】米国特許第６５０２４０８号
【特許文献３】特開２０００−２１１６２４号公報
【発明の概要】
【発明が解決しようとする課題】
【０００４】
ところで、陳列装置では、直径の大きい容器から直径の小さい容器へと容器の種類が変更された場合などに、変更後に陳列される容器とこの容器に隣接し既に陳列されている容器との間の間隙が、容器の種類が変更される前に比べ大きくなる。かかる場合、この間隙が狭まるように一方の容器を他方の容器に接近するように移動させることが望ましいが、個々の容器を個別に移動させると手間を要するようになる。
【課題を解決するための手段】
【０００５】
本発明が適用される陳列システムは、外周面に標記が付された容器と、容器を陳列する陳列装置と、を備え、陳列装置は、投入部に投入された容器を一方向に且つ容器の取り出し部まで移動させる移動手段と、陳列装置のうちの投入部が設けられている側から陳列装置のうちの取り出し部が設けられている側にかけて設けられるとともに移動手段により移動する容器の移動経路の一方の側方側に設けられ、容器のうちの一方の側方側に位置する部位に接触可能な第１の接触部材と、陳列装置のうちの投入部が設けられている側から陳列装置のうちの取り出し部が設けられている側にかけて且つ移動経路の他方の側方側に設けられるとともに第１の接触部材との間に間隙を有した状態で配置され、容器のうちの他方の側方側に位置する部位に接触可能な第２の接触部材と、第１の接触部材および第２の接触部材の少なくとも一方を一方向と直交する方向である陳列装置の幅方向に移動させる移動機構と、を備えることを特徴とする陳列システムである。
【０００６】
ここで、移動機構は、第１の接触部材と第２の接触部材との間に設けられた間隙の大きさを維持しながら第１の接触部材および第２の接触部材の両者を幅方向に移動させることを特徴とすることができる。また、移動機構は、ユーザの操作を受け付ける受け付け部材を備え、受け付け部材にて受け付けた操作力を用いて第１の接触部材および第２の接触部材の少なくとも一方を幅方向に移動させ、受け付け部材は、陳列装置の上部側に設けられていることを特徴とすることができる。さらに、第１の接触部材は、移動経路の一方の側方側から移動経路上に突出し且つ容器が移動する一方向において並んで配置された複数の突出部を備え、容器の標記が特定の方向を向いていない場合に突出部を容器の予め定められた部位に接触させ容器を周方向に回転させることを特徴とすることができる。また、第１の接触部材は、移動経路を移動する容器の標記が特定の方向を向いていない場合に容器の予め定められた部位を下方から支持し容器を移動経路の他方の側方側に傾斜させることを特徴とすることができる。さらに、容器は、第１の接触部材により下方から支持される予め定められた部位に、標記が特定の方向を向いた場合に第１の接触部材による支持を解除する部位を有していることを特徴とすることができる。
【０００７】
さらに、本発明を陳列装置と捉えた場合、本発明が適用される陳列装置は、外周面に標記が付された容器を陳列可能な陳列装置であって、投入部に投入された容器を一方向に且つ容器の取り出し部まで移動させる移動手段と、陳列装置のうちの投入部が設けられている側から陳列装置のうちの取り出し部が設けられている側にかけて設けられるとともに移動手段により移動する容器の移動経路の一方の側方側に設けられ、容器のうちの一方の側方側に位置する部位に接触可能な第１の接触部材と、陳列装置のうちの投入部が設けられている側から陳列装置のうちの取り出し部が設けられている側にかけて且つ移動経路の他方の側方側に設けられるとともに第１の接触部材との間に間隙を有した状態で配置され、容器のうちの他方の側方側に位置する部位に接触可能な第２の接触部材と、第１の接触部材および第２の接触部材の少なくとも一方を一方向と直交する方向である陳列装置の幅方向に移動させる移動機構と、を備えることを特徴とする陳列装置である。
【０００８】
ここで、移動機構は、第１の接触部材と第２の接触部材との間に設けられた間隙の大きさを維持しながら第１の接触部材および第２の接触部材の両者を幅方向に移動させることを特徴とすることができる。また、一対の第１の接触部材および第２の接触部材は、複数設けられるとともに陳列装置の幅方向に並んだ状態で配置されていることを特徴とすることができる。さらに、第１の接触部材は、移動経路の一方の側方側から移動経路上に突出し且つ容器が移動する一方向において並んで配置された複数の突出部を備え、容器の標記が特定の方向を向いていない場合に突出部を容器の予め定められた部位に接触させ容器を周方向に回転させることを特徴とすることができる。また、容器は、外周面に凹凸が形成され容器本体の開口を塞ぐキャップを更に備え、第１の接触部材は、移動経路を移動する容器の標記が特定の方向を向いていない場合に容器の予め定められた部位を下方から支持し容器を移動経路の他方の側方側に傾斜させ、第２の接触部材は、第１の接触部材により傾斜した容器のキャップの外周面に接触するように設けられ移動経路を移動する容器に対する抗力を外周面に付与することを特徴とすることができる。
【発明の効果】
【０００９】
容器の配置を変更する際の手間を低減可能な陳列システム等を提供できる。
【図面の簡単な説明】
【００１０】
【図１】本発明の実施形態に係る陳列装置の概略構成を示した図である。
【図２】陳列装置に陳列される容器を説明するための図である。
【図３】陳列装置の上面図である。
【図４】陳列装置の上面図である。
【図５】陳列装置の正面図である。
【図６】陳列装置の背面図である。
【図７】第１回転ユニット、第２回転ユニット、および第３回転ユニットを説明するための図である。
【図８】容器の動作を説明するための図である。
【図９】容器の動作を説明するための図である。
【図１０】陳列装置の正面図である。
【図１１】第１回転ユニット、第２回転ユニット、および第３回転ユニットを、陳列装置の幅方向における一方側に向かって移動させた後の状態を示した図である。
【図１２】陳列装置の変形例を示した図である。
【図１３】陳列装置の変形例を示した図である。
【図１４】容器の変形例を示した図である。
【図１５】容器の変形例を示した図である。
【図１６】第１調整機構および第２調整機構の他の実施形態を示した図である。
【図１７】調整機構を示した図である。
【図１８】第１ガイドおよび第２ガイドの他の実施形態を説明するための図である。
【図１９】第１ガイドおよび第２ガイドの他の実施形態を説明するための図である。
【図２０】第１ガイドおよび第２ガイドの他の実施形態を説明するための図である。
【図２１】第１ガイドおよび第２ガイドの他の実施形態を説明するための図である。
【図２２】容器の動作を説明するための図である。
【図２３】容器の動作を説明するための図である。
【図２４】第１ガイドおよび第２ガイドの他の実施形態を説明するための図である。
【図２５】容器を説明するための図である。
【図２６】容器を説明するための図である。
【図２７】陳列装置における容器の動作を説明するための図である。
【図２８】容器の他の動作例を示した図である。
【図２９】容器の他の形態を示した図である。
【図３０】容器の他の形態を示した図である。
【図３１】陳列装置における容器の動作を示した図である。
【図３２】容器の他の一形態を示した図である。
【図３３】容器の他の一形態を示した図である。
【発明を実施するための形態】
【００１１】
以下、添付図面を参照して、本発明を実施するための形態について詳細に説明する。
図１は、本発明の実施形態に係る陳列装置の概略構成を示した図である。
同図（Ａ）に示すように本実施形態における陳列装置３０は、所定の奥行き寸法および幅寸法を有している。またこの陳列装置３０は、図柄が印刷されたフィルムＦが外周面に装着され且つ飲料が内部に充填された容器２０が載せられる容器載置面３１Ａを有した載置部３１を備えている。また陳列装置３０は、載置部３１の一側辺に沿って配置され、容器２０の移動を停止させる、好ましくは透明に形成される規制板３４を備えている。また陳列装置３０は、容器２０を回転させ容器２０に付された識別標記（後述）を陳列装置３０の前方に向ける回転機構５００を備えている。
【００１２】
陳列装置３０は、同図（Ｂ）に示すように、コンビニエンスストア、スーパーマーケットなどに設置される陳列ケース１０の内部に収納される。この陳列ケース１０は、直方体状に形成されたケース本体部１０Ａと、このケース本体部１０Ａに対して開閉可能に設けられたドア１０Ｂとにより主要部が構成されている。ここで陳列装置３０は、陳列ケース１０に設けられた棚（不図示）の上に載せられる。この際、陳列装置３０は、規制板３４が設けられた側がドア１０Ｂ側に位置するように設置される。また載置部３１は、規制板３４が設けられた側が、規制板３４が設けられた側とは反対側よりも下方に位置するように配置される。このため、載置部３１の容器載置面３１Ａは、陳列ケース１０の後方側から容器２０が取り出される前方側（取り出し部側）に向かって下り傾斜した状態となっている。
【００１３】
ここで本実施形態における陳列ケース１０は、後方側にもドアが設けられ（不図示）、後方側も開放可能となっている。そしてこの後方側より陳列装置３０に容器２０が投入される。即ち、陳列ケース１０の後方側および陳列装置３０の後方側に容器２０の投入部が設けられた構成となっている。そして、投入された容器２０は載置部３１上をドア１０Ｂ側に向かって一方向に移動し、容器２０の取り出し部まで到達する。なお、本明細書では、ドア１０Ｂ側を前方側（前方）と称しドア１０Ｂとは反対側を後方側（後方）と称する場合がある。また、陳列ケース１０の幅方向（容器２０が移動する方向に直交する方向）を横方向、幅方向と称する場合がある。ここで載置部３１は、容器２０を容器２０の取り出し部まで移動させる移動手段として捉えることができる。
【００１４】
次いで容器２０について説明する。
図２は、陳列装置３０に陳列される容器２０を説明するための図である。なお、同図（Ａ）は正面図を示し、同図（Ｂ）は同図（Ａ）のＡ−Ａ線における断面図を示している。
【００１５】
容器２０は、ＰＥＴ（ポリエチレンテレフタレート）などの樹脂材料により形成された容器を例示している。このような容器２０は、例えば、樹脂材料を用いた射出成形（ブロー成形）法、樹脂材料を用いてプリフォームを成形後、これをブロー成形する方法により製造することができる。同図（Ａ）に示すように本実施形態における容器２０は、上部に開口（飲み口）を有し且つ筒状に形成され内部に飲料が充填された容器本体２１と、容器本体２１の開口を塞ぐキャップ２２とを備えている。また容器本体２１の外周面には、上記のとおりフィルムＦが装着されている。
【００１６】
ここでキャップ２２は、その外周面に、キャップ２２の高さ方向に沿って形成された凸部、同じく高さ方向に沿って形成された凹部を有している。この凸部および凹部は複数設けられるとともに、キャップ２２の周方向において交互に配置されている。またフィルムＦには、同図（Ａ）、（Ｂ）に示すように、商品名、商標名など他の商品と識別するための第１識別標記２３ａ、第２識別標記２３ｂが印刷されている（なお本明細書においては、以下単に「識別標記２３」と称する場合がある。）。ここで、第１識別標記２３ａおよび第２識別標記２３ｂは、同一の形態でもいいし異なる形態とすることもできる。なお第１識別標記２３ａおよび第２識別標記２３ｂは、容器２０の周方向において、位相が１８０°ずれた状態で配置されている。
【００１７】
また容器２０は、容器本体２１の上部に（キャップ２２の下部に）、容器本体２１の外周面から容器本体２１の径方向に突出した突出部（鍔部）２４を備えている。この突出部２４は、容器本体２１と一体に形成されるとともに、容器本体２１の周方向に沿うように設けられている。また突出部２４は、同図（Ｂ）に示すように、直径Ｄ２を有した円の一部が切り欠かれた形状となっている。付言すれば、突出部２４は、直径Ｄ２を有した円の一部に面削ぎ状の部位が設けられた状態となっている。更に説明すれば、突出部２４は、直径Ｄ２を有した円の一部に、第１平坦部２４１が設けられ、他の一部に、第２平坦部２４２が設けられた状態となっている。なお、第１平坦部２４１および第２平坦部２４２は、第１識別標記２３ａが向く方向および第２識別標記２３ｂが向く方向に沿うように設けられている。なお、突出部２４のうち上記切り欠かれた部位（面削ぎ状の部位）は、第１識別標記２３ａ又は第２識別標記２３ｂが陳列装置３０の前方（特定の方向）を向いた場合に、第２ガイド５２０（後述）による支持を解除する部位として捉えることができる。
【００１８】
さらに説明すると、突出部２４は、第１識別標記２３ａが向いている方向および第２識別標記２３ｂが向いている方向に延びることで容器本体２１の外周面から突出した状態となっている。また突出部２４は、第１識別標記２３ａが向いている方向と直交する方向および第２識別標記２３ｂが向いている方向と直交する方向に延びるように突出している。但し、この部位における突出量は、上記第１識別標記２３ａが向いている方向および第２識別標記２３ｂが向いている方向に突出した部位の突出量よりも小さくなっている。
【００１９】
また、第１平坦部２４１および第２平坦部２４２は、互いに平行となる関係で配置されている。また、第１平坦部２４１と第２平坦部２４２とは、上記直径Ｄ２の大きさよりも小さい距離Ｄ１をおいて配置されている。さらに、識別標記２３との関係を説明すると、第１平坦部２４１および第２平坦部２４２は、第１識別標記２３ａおよび第２識別標記２３ｂに対し、位相が９０°ずれた状態で配置されている。
【００２０】
さらに説明すると、第１識別標記２３ａ又は第２識別標記２３ｂが陳列装置３０（図１（Ａ）参照）の前方を向いた際における突出部２４の幅はＤ１となる。また、第１識別標記２３ａ又は第２識別標記２３ｂが陳列装置３０の幅方向を向いた際における突出部２４の幅はＤ２となる。さらに説明すると、第１識別標記２３ａ又は第２識別標記２３ｂが向いている方向における突出部２４の幅はＤ２となり、第１識別標記２３ａ又は第２識別標記２３ｂが向いている方向と直交する方向における突出部２４の幅はＤ２よりも小さいＤ１となる。さらに説明すると、第１識別標記２３ａ又は第２識別標記２３ｂが付された側から容器２０を眺めた場合に、突出部２４は、奥行き方向の寸法がＤ２となり、幅方向の寸法がこのＤ２よりも小さいＤ１となる。
【００２１】
次に陳列装置３０について詳細に説明する。
本実施形態における陳列装置３０では、図３（陳列装置３０の上面図）に示すように、載置部３１の容器載置面３１Ａにロール状部材３１１が設けられている。ここで、このロール状部材３１１は、陳列装置３０の前後方向および幅方向に複数設けられている。各々のロール状部材３１１は、容器２０の移動経路に沿った回転が可能なように設けられており、容器２０を前方へ円滑に移動させる。また陳列装置３０は、上記のとおり、容器２０を回転させ容器２０に付された識別標記２３を前方に向ける回転機構５００を備えている。
【００２２】
本実施形態における回転機構５００は、陳列装置３０の幅方向において並んで配置され容器２０を周方向に回転させる第１回転ユニット５０１、第２回転ユニット５０２、および第３回転ユニット５０３を有している。ここで第１回転ユニット５０１、第２回転ユニット５０２、および第３回転ユニット５０３の各々は、陳列装置３０の前後方向に沿って設けられた第１ガイド５１０および第２ガイド５２０を有している。付言すると、本実施形態では、一対の第１ガイド５１０および第２ガイド５２０が、複数設けられるとともに陳列装置３０の幅方向に並んだ状態で配置されている。
【００２３】
第２の接触部材の一例としての第１ガイド５１０は、円柱状の部材により構成され、載置部３１の上方に設けられている。また、容器２０の移動経路に沿って設けられている。さらに、容器２０の移動経路の一方の側方側に設けられている。また第１ガイド５１０は、その後端部が陳列装置３０の後方側に向かうに従い第２ガイド５２０から離れるように形成されており、投入された容器２０を第２ガイド５２０側に誘導する。また第１の接触部材の一例としての第２ガイド５２０は、円柱状の部材により構成され、載置部３１の上方に設けられている。また、第２ガイド５２０は、第１ガイド５１０との間に間隙を有する状態で設けられている。さらに、容器２０の移動経路に沿って設けられるとともに容器２０の移動経路の他方の側方側に設けられている。この第２ガイド５２０は、その前方に直線状に形成されたストレート部５２１を有し、その後方に傾斜部５２２を有している。
【００２４】
ここで、傾斜部５２２は、陳列装置３０の後方側に向かうに従い第１ガイド５１０から離れるように配置されている。また、傾斜部５２２は、陳列装置３０の後方側に向かうに従い容器載置面３１Ａに接近するように配置されている。付言すれば、陳列装置３０の前方に向かうに従い容器載置面３１Ａから離れるように配置されている。また傾斜部５２２は、その端部（図中上端部）が、投入された容器２０の突出部２４（図２（Ａ）参照）における下面よりも下方に位置するように配置されている。この傾斜部５２２は、投入された容器２０を第１ガイド５１０側に誘導する。また、傾斜部５２２およびストレート部５２１は、後述するように容器２０を下方から持ち上げ容器２０に傾斜を付与する。
【００２５】
ここで図４（陳列装置３０の上面図）、図５（陳列装置３０の正面図）、図６（陳列装置３０の背面図）を参照して陳列装置３０について更に詳細に説明する。
図３では図示を省略したが、上記第１回転ユニット５０１、第２回転ユニット５０２、および第３回転ユニット５０３は、これらのユニットを上方から支持する支持ユニット９００により支持されている。この支持ユニット９００は、図５に示すように、載置部３１の幅方向における一端部から上方に向かって延びる第１側壁５３２、載置部３１の幅方向における他端部から上方に向かって延びる第２側壁５３６、第１側壁５３２から第２側壁５３６に架けて設けられるとともに矩形状の貫通孔５３８Ａ（図４も参照）を有した天井部５３８を有している。
【００２６】
また本実施形態では、図４に示すように、第１回転ユニット５０１、第２回転ユニット５０２、および第３回転ユニット５０３の各々に対応して設けられるとともに天井部５３８の上面に載せられ、陳列装置３０の幅方向にスライド可能なスライド部材９１０が設けられている。スライド部材９１０の各々は、矩形状に形成されるとともに陳列装置３０の前後方向に沿って配置されている。またスライド部材９１０の各々は、天井部５３８に形成された貫通孔５３８Ａを跨ぐように設けられ、且つ、長手方向における両端部が天井部５３８により支持されている。さらに本実施形態では、スライド部材９１０の各々に対応して設けられ、ユーザからの操作力を受けスライド部材９１０を陳列装置３０の幅方向にスライド移動させる移動部材９２０（受け付け部材の一例）と、スライド部材９１０のスライド移動をガイドするガイド（不図示）とが設けられている。ここで移動部材９２０は、陳列装置３０の上部側に設けられている。またスライド部材９１０や移動部材９２０などは、第１ガイド５１０等を陳列装置３０の幅方向に移動させる移動機構として捉えることができる。
【００２７】
移動部材９２０は、図４に示すように、天井部５３８に回転可能な状態で設けた回転軸９２０Ａと、この回転軸９２０Ａの一端部に取り付けられユーザからの操作力を受け付ける円盤状のダイヤル９２０Ｂとを有している。ここで回転軸９２０Ａの外周面には、スライド部材９１０の端面に形成されたギア（不図示）に噛み合う不図示のギアが設けられている。そして本実施形態では、ダイヤル９２０Ｂに付与されたユーザからの操作力がこれらのギアを介してスライド部材９１０に伝達される。これにより、スライド部材９１０は図５の矢印Ｃに示すようにスライド移動する。なお移動部材９２０は、図４に示すように、スライド部材９１０の長手方向における一端部側および他端部側の２箇所に設けられている。
【００２８】
また本実施形態では、図４に示すように、スライド部材９１０の上面に設けられ第１ガイド５１０の位置調整に用いられる第１調整機構６００、同じくスライド部材９１０の上面に設けられ第２ガイド５２０の位置調整に用いられる第２調整機構７００が設けられている。なお第１調整機構６００および第２調整機構７００は、第１回転ユニット５０１、第２回転ユニット５０２、および第３回転ユニット５０３の各々に対応するように複数（本実施形態では３つ）設けられている。      
【００２９】
第１調整機構６００は、回転可能に設けられユーザからの操作を受け付ける受け付け部材６１０、受け付け部材６１０から駆動力を受け陳列装置３０の幅方向にスライド移動する移動部材６２０、移動部材６２０のスライド移動をガイドするガイド部６３０、第１ガイド５１０を支持する支持部材６４０を備えている。
【００３０】
受け付け部材６１０は、円盤状に形成されるとともに回転可能な状態でスライド部材９１０に固定されている。移動部材６２０は、矩形状に形成されるとともにスライド部材９１０に載せられた状態となっている。また、移動部材６２０は、４つの側辺のうちの１側辺から内方側に凹む溝６２１を有するとともに、この溝６２１内にラックギア部６２２を有している。そしてこのラックギア部６２２は、受け付け部材６１０に設けられたギア６１１に噛み合う状態となっている。
【００３１】
ガイド部６３０は、移動部材６２０の４つの側辺のうちの陳列装置３０の幅方向に沿った側辺に沿って設けられ、移動部材６２０が陳列装置３０の幅方向に移動するようにガイドする。なお、ガイド部６３０は、２つ設けられ、移動部材６２０を挟むように対向する関係で配置されている。支持部材６４０は、図５にも示すように、板状に形成されるとともに一端が第１ガイド５１０に固定され他端が移動部材６２０の下面に固定されている。なお、支持部材６４０は、スライド部材９１０に形成された貫通孔５３４Ａおよび天井部５３８に設けられた貫通孔５３８Ａを通じ下方に向かって延びている。なお本実施形態における第１調整機構６００では、受け付け部材６１０が２つ設けられており、また溝６２１が２つ形成されている。
【００３２】
ここで第１ガイド５１０は、図５の矢印Ａに示すように、陳列装置３０の幅方向における位置が調整可能に設けられている。例えば、図５の状態から受け付け部材６１０を時計回り方向に回すと、移動部材６２０は左方向に移動する。これにより、支持部材６４０が左方へ移動するとともに第１ガイド５１０も左方へ移動するようになる。また、例えば、図５の状態から受け付け部材６１０を反時計回り方向に回すと、移動部材６２０は右方向に移動する。これにより、支持部材６４０が右方へ移動するとともに第１ガイド５１０も右方へ移動するようになる。
【００３３】
なお、第２調整機構７００も第１調整機構６００と同様に構成され、第２ガイド５２０は、陳列装置３０の幅方向における位置が調整可能に設けられている。即ち第２調整機構７００は、第１調整機構６００と同様に、回転可能に設けられユーザからの操作を受け付ける受け付け部材７１０、受け付け部材７１０から駆動力を受け陳列装置３０の幅方向にスライド移動する移動部材７２０、移動部材７２０のスライド移動をガイドするガイド部７３０、第２ガイド５２０を支持する支持部材７４０を備えている。このため第２ガイド５２０も、図５の矢印Ｂに示すように陳列装置３０の幅方向に移動可能となる。なお、詳細な構成は第１調整機構６００と同じであるため、詳細な説明は省略する。ここで、本実施形態では、第１ガイド５１０および第２ガイド５２０の各々がスライド部材９１０に対し移動可能に設けられた例を説明したが、一方のガイド（例えば第２ガイド５２０）のみがスライド部材９１０に対し移動する構成とすることもできる。
【００３４】
次に、図７（第１回転ユニット５０１、第２回転ユニット５０２、および第３回転ユニット５０３を説明するための図）を参照して第１回転ユニット５０１、第２回転ユニット５０２、および第３回転ユニット５０３について詳細に説明する。なお、第１回転ユニット５０１、第２回転ユニット５０２、および第３回転ユニット５０３は同様に構成されているため、以下では、第２回転ユニット５０２を中心に説明する。ここで、図７（Ａ）は図３のＡ−Ａ線における断面図であり、図７（Ｂ）は図３のＢ−Ｂ線における断面図であり、図７（Ｃ）は図３のＣ−Ｃ線における断面図である。また図７では、第１ガイド５１０の図示を省略している。
【００３５】
上述のとおり第２ガイド５２０には、傾斜部５２２が設けられ、この傾斜部５２２は、陳列装置３０の後方側に向かうに従い容器載置面３１Ａに接近するように配置されている。付言すれば、傾斜部５２２と容器載置面３１Ａとの離間距離が陳列装置３０の前方に向かうに従い大きくなるように、傾斜部５２２は配置されている。例えば図７（Ａ）にて容器載置面３１Ａと傾斜部５２２の上面との離間距離がＨ１であった場合に、図７（Ｂ）では離間距離がＨ２（＞Ｈ１）となり、図７（Ｃ）では離間距離がＨ３（＞Ｈ２＞Ｈ１）となる。ここで、離間距離Ｈ１は、容器２０の底面から突出部２４の下面までの距離Ｈ１０（図２（Ａ）参照）よりも小さい。また、離間距離Ｈ３は、この距離Ｈ１０よりも大きい。なお第１ガイド５１０（本図では不図示）は、容器載置面３１Ａとほぼ平行となるように配置されている。
【００３６】
本実施形態では、識別標記２３が移動経路の側方を向いた状態（前方以外の方向を向いた状態）で容器２０が陳列装置３０に投入されると、容器２０の右方側が第２ガイド５２０により持ち上げられ（突出部２４の右方側が第２ガイド５２０により下方から押圧され）、容器２０は左方側に傾くようになる。また、容器２０に第２ガイド５２０が接触すると、容器２０は回転するようになる。そして識別標記２３が前方を向くと、第２ガイド５２０による持ち上げが解除され、容器２０は識別標記２３が前方を向いた状態で前方に移動していく。
【００３７】
図８、図９（容器２０の動作を説明するための図）を用いて容器２０の動作について詳細に説明する。なお、図８（Ａ）は、図７（Ａ）で示した第２回転ユニット５０２と容器２０とを示した図であり、図８（Ｂ）は、図７（Ｂ）で示した第２回転ユニット５０２と容器２０とを示した図であり、また、図８（Ｃ）は、図７（Ｃ）で示した第２回転ユニット５０２と容器２０とを示した図である。
【００３８】
図８（Ａ）に示すように、識別標記２３が移動経路の側方を向いた状態で投入された容器２０が、第２ガイド５２０の傾斜部５２２に達すると、容器２０の突出部２４の下部に傾斜部５２２が位置する状態となる。そして本実施形態では、傾斜部５２２が、上記のとおり、容器載置面３１Ａから離れるように傾斜した状態で配置されているために、容器２０が前方へ進むことにより突出部２４の下面に傾斜部５２２が接触し、容器２０に傾斜が付与される。付言すれば、容器本体２１のうち第２ガイド５２０が設けられている側が容器載置面３１Ａから離間する。また、突出部２４の下面に傾斜部５２２が接触することによりこの突出部２４に抗力が付与される。そしてこの抗力によって、容器２０（容器本体２１）の回転が開始される。
【００３９】
詳細には、容器２０の前方への移動に伴い突出部２４の下部に傾斜部５２２が接触する（同図（Ｂ）参照）。これにより容器２０に対し抗力が付与されるようになり、容器２０は上方から見て反時計回り方向（周方向）に回転するようになる（図中矢印参照）。また、容器２０が更に前方へ移動するのに伴い、突出部２４がストレート部５２１により下方から支持され持ち上げられるようになる（同図（Ｃ）参照）。これにより容器２０は、第１ガイド５１０側に傾くようになる。また、容器載置面３１Ａと容器２０との接触面積が低下するために容器２０がより回転しやすくなる。
【００４０】
なお、容器２０をストレート部５２１により持ち上げた際、容器２０はこのストレート部５２１から離れる方向に移動する場合がある。このため、本実施形態では、容器２０の外周面に接触可能な位置に第１ガイド５１０を設けている。これにより容器２０が容器２０の側方から支持され、容器２０とストレート部５２１（第２ガイド５２０）との接触が維持される。付言すれば、容器２０の移動が規制され、容器２０とストレート部５２１との接触が維持される。
【００４１】
その後、容器２０は、図９（Ａ）に示すような回転を継続しながら前方へ移動していく。これにより第１識別標記２３ａが次第に前方を向くようになる。そして同図（Ｂ）に示すように識別標記２３（第１識別標記２３ａ）が前方を向く状態となると、ストレート部５２１（第２ガイド５２０）による突出部２４の支持（持ち上げ）が解除される。付言すれば、識別標記２３が前方を向く状態となると、突出部２４の第１平坦部２４１あるいは第２平坦部２４２（図２（Ｂ）参照）（突出部２４の切り欠き）が、ストレート部５２１と対峙するようになり、第２ガイド５２０による突出部２４の支持が解除される。
【００４２】
さらに説明すれば、図９（Ｂ）、（Ｃ）に示すように、第２ガイド５２０（ストレート部５２１）による突出部２４の支持が解除され、容器２０の上部側（キャップ２２側）がストレート部５２１（第２ガイド５２０）側に移動するようになる。これにより、容器２０への回転力の付与も解除される。なお、容器２０の上部側がストレート部５２１側に移動すると、ストレート部５２１の上面よりも下方に突出部２４の下面が位置するようになる（同図（Ｃ）参照）。その後、容器２０は同図（Ｃ）に示す姿勢を維持した状態で前方へスライドしていく。即ち、容器２０は、識別標記２３が前方を向いた状態を維持したまま陳列装置３０の前方まで移動していく。
【００４３】
本実施形態では、図８（Ａ）に示したように、例えば第１識別標記２３ａが側方を向いた状態で容器２０が容器載置面３１Ａに置かれたとしても、前方に達する段階において、第１識別標記２３ａが前方に向くようになる。このため、第１識別標記２３ａが前方に向いていない状態で容器２０の載置（投入）を行ったとしても、陳列装置３０の前方に容器２０が達した際に第１識別標記２３ａを前方に向いた状態となる。即ち本実施形態では、容器２０を陳列装置３０に投入する投入者が特別な操作をしないでも、識別標記２３が前方を向くこととなる。
【００４４】
なお、識別標記２３が前方を向いた状態で容器２０が投入された場合には、傾斜部５２２による突出部２４の持ち上げが行われない。このため、容器２０は投入されたときの姿勢を維持したまま（識別標記２３が前方を向いた状態を維持したまま）陳列装置３０の前方へ移動していく。
【００４５】
また、上記では、第２ガイド５２０により容器２０が支持された際、容器２０が反時計回り方向に回転する場合を説明したが、第１ガイド５１０、第２ガイド５２０、容器２０の表面性状等によっては、容器２０が時計回り方向に回転する場合もある。例えば、容器２０が第２ガイド５２０により持ち上げられるとともに第１ガイド５１０により支持される際、容器２０には第１ガイド５１０からも抗力が付与されることとなる。そしてこの抗力が、第２ガイド５２０により付与される抗力よりも大きい場合、容器２０は、時計回り方向に回転することとなる。また、容器２０が第２ガイド５２０により持ち上げられた際、容器２０は、右方側が第２ガイド５２０により支持されるとともに、左方側は容器載置面３１Ａに接触した状態となる。この場合において、容器載置面３１Ａから付与される抗力が大きい場合などにおいては、容器２０と第２ガイド５２０との間で滑りが生じ、容器２０は時計回り方向に回転することになる。
【００４６】
ここで、陳列装置３０に対しては、一種類の容器２０のみならず形状の異なる複数種類の容器２０を陳列できる方が好ましい。ところでこのような場合、容器２０の直径などが異なる場合がある。また突出部２４の直径Ｄ２（図２参照）が異なったり、上記距離Ｄ１（図２参照）が異なったりする場合がある。このような場合に、第１ガイド５１０や第２ガイド５２０が一定位置にあると、容器２０に付された識別標記２３を前方に向けることができないおそれがある。このため、本実施形態における陳列装置３０では、上記のように、第１ガイド５１０、第２ガイド５２０の位置を調整可能に設け、様々な形状の容器２０にも対応できるようにしている。
【００４７】
なお本実施形態では、陳列装置３０の幅方向において、第１ガイド５１０および第２ガイド５２０の位置が調整可能な場合を一例に説明したが、例えば、支持部材６４０（図５参照）を陳列装置３０の上下方向に移動可能な構成とすれば、陳列装置３０の高さ方向における第１ガイド５１０の位置を調整可能となる。同様に、支持部材７４０（図５参照）を陳列装置３０の上下方向に移動可能な構成とすれば、陳列装置３０の高さ方向における第２ガイド５２０の位置を調整可能となる。
【００４８】
また例えば、一の直径を有する容器２０からこの一の直径よりも直径の小さい容器２０へ容器２０の種類を変更する場合に、変更後に陳列される容器２０と、この容器２０に隣接して陳列される容器２０との間の間隙が大きくなる。そしてこの場合、見栄えが悪くなるおそれがある。例えば、図１０（陳列装置３０の正面図）に示す第１回転ユニット５０１にて陳列されていた容器２０が直径の小さい他の種類の容器２０へと変更される場合、第１回転ユニット５０１にて新たに陳列される容器２０と、第２回転ユニット５０２に既に陳列されていた容器２０との間の間隙が大きくなる。そしてこの場合、前方から陳列装置３０を眺めた場合の見栄えが悪くなるおそれがある。
【００４９】
そこで本実施形態では、第１回転ユニット５０１、第２回転ユニット５０２、および第３回転ユニット５０３を陳列装置３０の幅方向に移動可能に設け、一の容器２０とこの一の容器２０に隣接する他の容器２０との間の間隙を調整できるようにしている。ここで例えば上記のように、第１回転ユニット５０１にて新たに陳列される容器２０と、第２回転ユニット５０２に既に陳列されていた容器２０との間の間隙が大きくなってしまう場合、移動部材９２０を操作し、図１０の矢印Ａおよび矢印Ｂに示す方向に、第２回転ユニット５０２および第３回転ユニット５０３を移動させる。これにより上記間隔が狭まるようになる。
【００５０】
ここで本実施形態では、第２ガイド５２０が容器２０の投入部近傍から容器２０の取り出し部近傍まで配置されている（図３参照）。付言すると、第２ガイド５２０は、陳列装置３０のうちの容器２０の投入部が設けられた側から、陳列装置３０のうちの容器２０の取り出し部が設けられた側にかけて設けられている。このため本実施形態では、上記のように第２回転ユニット５０２および第３回転ユニット５０３を上記矢印Ａおよび矢印Ｂに示す方向に移動させた場合、各ユニットに位置している容器２０が第２ガイド５２０により押圧され各ユニットに位置している容器２０がまとめて移動するようになる。付言すると、列状に並んでいる容器２０がこの列を維持した状態で陳列装置３０の幅方向に移動するようになる。この結果、本実施形態における陳列装置３０では、個別に容器２０を移動させる場合に比べより短い時間で容器２０の移動を行うことが可能となる。なお各ユニットを図１０の右方向に移動させる場合には、第１ガイド５１０によって、容器２０がまとめて図中右方向に移動する。
【００５１】
また本実施形態にて移動部材９２０を操作した場合、第２ガイド５２０のみならず第１ガイド５１０も移動する。付言すると、移動部材９２０を操作した場合、第１ガイド５１０と第２ガイド５２０との間隙の大きさが維持された状態で、第１ガイド５１０および第２ガイド５２０の両者が移動する。このため本実施形態では、第１ガイド５１０と第２ガイド５２０との配置間隔の調整が省略可能となる。
【００５２】
ここで図１１は、第１回転ユニット５０１、第２回転ユニット５０２、および第３回転ユニット５０３を、陳列装置３０の幅方向における一方側に向かって移動させた後の状態を示した図である。容器２０の直径にもよるが、第１回転ユニット５０１、第２回転ユニット５０２、および第３回転ユニット５０３を移動させた場合、同図の右端の空間のように、陳列装置３０に、新たな種類の容器２０を収納可能な空間が形成される。なお上記では説明を省略したが、載置部３１にはガイド３２を挿入可能な溝３５が形成されている。そしてこの溝３５に対してガイド３２を挿入することで容器２０の新たな移動経路（陳列スペース）が形成される。なお本実施形態では、ガイド３２を設ける場合を説明したが、第１回転ユニット５０１、第２回転ユニット５０２、および第３回転ユニット５０３に加え、第４回転ユニットを更に設置することもできる。
【００５３】
また、陳列装置３０は、次のような構成とすることもできる。
図１２および図１３は、陳列装置３０の変形例を示した図である。なお図１３（Ａ）は陳列装置３０の上面図である。図１３（Ｂ）は図１３（Ａ）のＡ−Ａ線における断面図を示している。また図１２および図１３では、第２回転ユニット５０２を例示している。
【００５４】
図１２に示すように、第２ガイド５２０の表面には、回転可能に設けられた球状のコロ５２３を設けることもできる。なお、このようにコロ５２３を設ける場合、第２ガイド５２０は、円柱状ではなく、平坦な上面が形成されるように断面を矩形とすることが好ましい。また、図１３（Ｂ）に示すように、第２ガイド５２０は、円柱状ではなく、断面が半円状となるように形成することもできる。なお、この場合、円弧を有する部分が上部側に位置する。また、第２ガイド５２０は、図１３（Ｃ）に示すように、側方からではなく下方から支持することもできる。即ち、第２ガイド５２０の下部に対して支持部材７４０を接続することもできる。
【００５５】
また、容器２０は、次のような構成とすることができる。
図１４および図１５は、容器２０の変形例を示した図である。
例えば図１４に示すように、識別標記２３が一つのみ設けられる場合には、面削ぎ状（切り欠き状）の部位を一箇所設ける。即ち、第１平坦部２４１を一箇所設ける。なお、この第１平坦部２４１は、識別標記２３に対し９０°のずれを有して配置される。付言すれば、識別標記２３が一つのみ設けられる場合、突出部２４のうち第２ガイド５２０に対峙する部位であって、識別標記２３が陳列装置３０の前方を向いた際に第２ガイド５２０に対峙する部位に、切り欠きを設ける。さらに説明すると、識別標記２３が向いている方向、識別標記２３が向いている方向とは反対の方向、および識別標記２３が向いている方向と直交する一方向の３つの方向に延びるような突出部２４を設ける。そして、突出部２４のうち、上記一方向とは反対の方向に延びる部位の突出量を小さくする。
【００５６】
また例えば図１５に示すように、２つの識別標記２３（第１識別標記２３ａ、第２識別標記２３ｂ）が所定の角度（本例では９０°）のずれを有して配置される場合がある。このような場合は、第１識別標記２３ａに対応して第２平坦部２４２を設け、第２識別標記２３ｂに対応して第１平坦部２４１を設ける。さらに説明すると、容器２０を第１識別標記２３ａが設けられた側から眺めた場合（図１５（Ａ）の状態）に、突出部２４のうち容器２０の右側方側に突出する部位（第２ガイド５２０に対峙する部位）の突出量を他の部分より小さくする。また、同様に、容器２０を第２識別標記２３ｂが設けられた側から眺めた場合（不図示）に、突出部２４のうち容器２０の右側方側に突出する部位の突出量を他の部分より小さくする。
【００５７】
なお、識別標記２３が陳列装置３０の前方を向いていない状態で図１４に示した容器２０が陳列装置３０に投入された場合には、第２ガイド５２０により突出部２４が支持され、上記と同様に容器２０は回転する。そして、識別標記２３が前方を向くと、上記と同様、第２ガイド５２０による支持が解除される。また、第１識別標記２３ａおよび第２識別標記２３ｂのいずれもが陳列装置３０の前方を向いていない状態で図１５に示した容器２０が投入された場合には、第２ガイド５２０により突出部２４が支持され容器２０は回転する。そして、第１識別標記２３ａおよび第２識別標記２３ｂのいずれかが陳列装置３０の前方を向くと、上記と同様、第２ガイド５２０による支持が解除される。
【００５８】
また、上記実施形態では樹脂製の容器２０を例示したが、いわゆる金属ボトル缶に対しても上記と同様の機能を付与することができる。但し、上記突出部２４に相当する箇所は、別部材を取り付けることにより形成することが好ましい。また第２ガイド５２０の突出部２４と接触する箇所に、凹凸を付与したり、ＥＰＤＭ（エチレン−プロピレンゴム）などのゴム部材を貼付等したりすることもできる。
【００５９】
また、第１調整機構６００および第２調整機構７００は、次のような形態とすることもできる。
図１６は、第１調整機構６００および第２調整機構７００の他の実施形態を示した図である。なお、上述した実施形態と同様の機能については、同様の符号を用いここではその説明を省略する。本実施形態の第１調整機構６００では、ガイド部６３０のうち移動部材６２０と対向する箇所に、複数（本実施形態では３本）の溝６３１が設けられている。なお、複数の溝６３１は、陳列装置３０の幅方向において、互いに異なる位置に設けられている。一方、移動部材６２０は、ガイド部６３０と対向する側面に、ガイド部６３０に向かって突出し上記溝６３１に入り込むことが可能な突起６２６を備えている。
【００６０】
ここで本実施形態では、突起６２６を入り込ませる溝６３１の位置を変えることで、第１ガイド５１０の位置が変わる構成となっている。なお、第２調整機構７００も第１調整機構６００と同様に構成されており、第２調整機構７００では、各ガイド部７３０の移動部材７２０と対向する箇所に、複数の溝７３１が設けられている。なお、複数の溝７３１は、陳列装置３０の幅方向において、互いに異なる位置に設けられている。
【００６１】
また、上記第１調整機構６００および第２調整機構７００に換え、次のような調整機構８００を設けることができる。
図１７は、調整機構８００を示した図である。本調整機構８００は、回転可能に設けられユーザからの操作を受け付ける受け付け部材８１０、受け付け部材８１０から駆動力を受け陳列装置３０の幅方向にスライド移動する第１スライド部材８２１、第２スライド部材８２２を備えている。また、第１スライド部材８２１、第２スライド部材８２２のスライドをガイドするガイド部８３０、第１ガイド５１０を支持する第１支持部材８４１、第２ガイド５２０を支持する第２支持部材８４２を備えている。
【００６２】
受け付け部材８１０は、円盤状に形成されるとともに回転可能な状態でスライド部材９１０に固定されている。第１スライド部材８２１は、略コの字状に形成されるとともにスライド部材９１０に載せられた状態となっている。また第１スライド部材８２１は、複数の側面のうち陳列装置３０の幅方向に沿った側面に、ラックギア部８２１Ａを有している。そしてこのラックギア部８２１Ａは、受け付け部材８１０に設けられたギア８１１に噛み合う状態となっている。また、第２スライド部材８２２もスライド部材９１０に載せられた状態となっている。また第２スライド部材８２２は、複数の側面のうち陳列装置３０の幅方向に沿い且つ上記ラックギア部８２１Ａと対向する側面に、ラックギア部８２２Ａを有している。そしてこのラックギア部８２２Ａは、受け付け部材８１０に設けられたギア８１１に噛み合う状態となっている。
【００６３】
ガイド部８３０は、陳列装置３０の幅方向に沿って設けられており、第１スライド部材８２１の陳列装置３０の幅方向における移動および第２スライド部材８２２の陳列装置３０の幅方向における移動をガイドする。なお、ガイド部８３０は、２つ設けられ、第１スライド部材８２１および第２スライド部材８２２を挟むように対向する関係で配置されている。
【００６４】
第１支持部材８４１は、支持部材６４０（図５参照）と同様に、板状に形成されるとともに一端が第１ガイド５１０に固定されている。また第１支持部材８４１は、他端が第１スライド部材８２１の下面に固定されている。また第１支持部材８４１は、スライド部材９１０に形成された第１貫通孔５３９Ａおよび天井部５３８に形成された貫通孔５３８Ａを通じ下方に延びている。また第２支持部材８４２は、支持部材７４０（図５参照）と同様に、断面が略Ｌ字状に形成されるとともに一端が第２ガイド５２０に固定されている。また第２支持部材８４２は、他端が第２スライド部材８２２の下面に固定されている。なお第２支持部材８４２は、スライド部材９１０に形成された第２貫通孔５３９Ｂおよび天井部５３８に形成された貫通孔５３８Ａを通じ下方に延びている。
【００６５】
ここで例えば、図１７の状態から受け付け部材８１０を時計回り方向に回すと、第１スライド部材８２１および第２スライド部材８２２が互いに接近する方向に移動する。これに伴い、第１ガイド５１０および第２ガイド５２０も互いに接近する方向に移動する。一方、図１７の状態から受け付け部材８１０を反時計回り方向に回すと、第１スライド部材８２１および第２スライド部材８２２が互いに離れる方向に移動する。これに伴い、第１ガイド５１０および第２ガイド５２０も互いに離れる方向に移動する。なお受け付け部材８１０は、スライド部材９１０の長手方向における一端側および他端部側の２箇所に設けられている。
【００６６】
ここで、第１ガイド５１０および第２ガイド５２０は、図１８〜図２１に示す形態とすることもできる。なお、以下では、第１ガイド５１０および第２ガイド５２０を中心に説明するが、第１ガイド５１０および第２ガイド５２０は、上記にて説明した実施形態の構成によって、陳列装置３０の幅方向や高さ方向に移動可能に設けることができる。
【００６７】
図１８〜図２１は、第１ガイド５１０および第２ガイド５２０の他の実施形態を説明するための図である。なお、図１８は第１ガイド５１０および第２ガイド５２０を上方から眺めた場合の図である。図１９は第１ガイド５１０および第２ガイド５２０を陳列装置３０の前方側および後方側から眺めた場合の図である。図２０は陳列装置３０の側方側から第１ガイド５１０を眺めた場合の図である。
【００６８】
図１８、図１９に示すように、本実施形態における第１ガイド５１０は、板状の部材により構成され、載置部３１の上方に設けられている。また、第１ガイド５１０は、前方側に第１傾斜部５１１を有し、後方側に第２傾斜部５１２を有している。ここで第１傾斜部５１１は、図１９（Ａ）に示すように、図中左上側の一端部の方が図中右下側の他端部よりも上方に位置するように、且つ、この一端部の方が他端部よりも左側に位置するように傾斜して配置されている。付言すれば、第１傾斜部５１１は、陳列装置３０の載置部３１から離れるに従い左側に寄るように傾斜して配置されている。
【００６９】
また第１傾斜部５１１は、図１８に示すように、キャップ２２の外周面（容器２０の側部）が接触する（詳細は後述）接触面５１１ａに、複数の凸部および凹部を有している。なお接触面５１１ａは、図１９（Ａ）に示すように、載置部３１の容器載置面３１Ａから離れるに従い容器２０の移動経路の側方（図１９（Ａ）中左方向）に接近するように傾斜した状態となっている。付言すれば、接触面５１１ａは、容器２０の移動経路の側方に向かうに従い容器載置面３１Ａから離れるように傾斜した状態となっている。更に付言すれば、接触面５１１ａは、傾斜して配置され斜め上方を向くように配置されている。
【００７０】
図１８を再度参照し説明を続ける。接触面５１１ａに形成された凸部および凹部は、陳列装置３０の前後方向と直交する方向に沿って形成されるとともに、陳列装置３０の前後方向において、交互に配置されている。そして本実施形態では、キャップ２２の外周面が接触面５１１ａに接触した状態にあると、キャップ２２の外周面に形成された凹凸と、接触面５１１ａに形成された凹凸とが噛み合うようになる。この結果、容器２０における左方側の移動が抑制され、容器２０は周方向の回転を行う（詳細は後述）。
【００７１】
第２傾斜部５１２は、陳列装置３０の後方側に向かうに従い第２ガイド５２０との間に形成される間隙が拡がるように配置されている。なお、第２傾斜部５１２には、上記凹凸が設けられていないが、この第２傾斜部５１２にも凹凸を付与することができる。この第２傾斜部５１２は、陳列装置３０に投入された容器２０を第２ガイド５２０側に誘導する。
【００７２】
ここで図２１を参照して第１ガイド５１０および第２ガイド５２０について更に詳細に説明する。なお、同図（Ａ）は図１８のＡ−Ａ線における断面図であり、同図（Ｂ）は図１８のＢ−Ｂ線における断面図であり、同図（Ｃ）は図１８のＣ−Ｃ線における断面図である。
【００７３】
第２ガイド５２０には、上記にて説明したように、傾斜部５２２が設けられ、そしてこの傾斜部５２２は、陳列装置３０の後方側に向かうに従い載置部３１に接近するように配置されている。本実施形態においても、図２１（Ａ）にて容器載置面３１Ａと傾斜部５２２との離間距離がＨ１となっており、図２１（Ｂ）では離間距離がＨ２（＞Ｈ１）となっており、図２１（Ｃ）では離間距離がＨ３（＞Ｈ２＞Ｈ１）となっている。また、第１ガイド５１０と第２ガイド５２０との水平方向の距離Ｗ１，Ｗ２，Ｗ３は、Ｗ１＞Ｗ２＞Ｗ３の関係になっている。
【００７４】
本実施形態でも、識別標記２３が移動経路の側方を向いた状態（前方以外の方向を向いた状態）で容器２０が陳列装置３０に投入されると、容器２０の右方側が傾斜部５２２により持ち上げられ、容器２０は左方側に傾くようになる。そしてこの傾きによって、容器２０のキャップ２２が第１ガイド５１０に接触し、容器２０が回転するようになる。そして識別標記２３が前方を向くと、キャップ２２が第１ガイド５１０から離間し、容器２０は識別標記２３が前方を向いた状態で前方に移動していく。
【００７５】
図２２、図２３（容器２０の動作を説明するための図）を用いて容器２０の動作について詳細に説明する。なお、図２２（Ａ）は、図２１（Ａ）で示した第１ガイド５１０、第２ガイド５２０と容器２０とを示した図であり、図２２（Ｂ）は、図２１（Ｂ）で示した第１ガイド５１０、第２ガイド５２０と容器２０とを示した図であり、また、図２２（Ｃ）は、図２１（Ｃ）で示した第１ガイド５１０、第２ガイド５２０と容器２０とを示した図である。
【００７６】
図２２（Ａ）に示すように、識別標記２３が移動経路の側方を向いた状態で投入された容器２０が、第１ガイド５１０の第２傾斜部５１２と第２ガイド５２０の傾斜部５２２との間に達すると、容器２０の突出部２４の下部に傾斜部５２２が位置する状態となる。そして、傾斜部５２２が載置部３１（容器載置面３１Ａ）から離れるように傾斜した状態で配置されているために、容器２０に傾斜が付与される。
【００７７】
詳細には、容器２０の前方への移動に伴い突出部２４の下部に傾斜部５２２が接触する。そして、容器２０がさらに前方へ移動するのに伴い、突出部２４が傾斜部５２２に持ち上げられるようになる（同図（Ｂ）参照）。これにより容器２０は、第２傾斜部５１２（第１ガイド５１０）側に傾くようになる。そして、容器２０は、突出部２４が傾斜部５２２により更に持ち上げられることで更に傾くようになり、同図（Ｃ）に示すように、キャップ２２の外周面であってキャップ２２の上部側が第１傾斜部５１１（第１ガイド５１０）の接触面５１１ａに接触する。
【００７８】
これによりキャップ２２の外周面における凹凸と、第１傾斜部５１１の接触面５１１ａにおける凹凸との間で噛み合いが生じ、容器２０のうち第１ガイド５１０が設けられた側の移動が規制される。付言すると、容器２０に設けられたキャップ２２のうちの第１ガイド５１０が設けられた側に、容器２０の移動に対する抗力が付与されるようになる。この結果、容器２０の突出部２４と第２ガイド５２０との間に滑りが生じるようになり、容器２０は、図２３（Ａ）の矢印６Ｄに示すように周方向の回転を開始する。また、容器２０は更に前方へ移動していく。
【００７９】
そして同図（Ｂ）に示すように識別標記２３（第２識別標記２３ｂ）が前方を向く状態となると、ストレート部５２１（第２ガイド５２０）による突出部２４の支持が解除される。付言すれば、識別標記２３が前方を向く状態となると、突出部２４の第１平坦部２４１あるいは第２平坦部２４２（図２（Ｂ）参照）が、ストレート部５２１と対峙するようになり、第２ガイド５２０による突出部２４の支持が解除される。
【００８０】
この結果、図２３（Ｂ）、（Ｃ）に示すように、容器２０の上部側（キャップ２２側）がストレート部５２１（第２ガイド５２０）側に移動するようになり、キャップ２２と第１傾斜部５１１（第１ガイド５１０）とが離間するようになる。これにより、容器２０への回転力の付与も解除される。そして、容器２０は同図（Ｃ）に示す姿勢を維持した状態で前方へスライドしていく。即ち、容器２０は、識別標記２３が前方を向いた状態を維持したまま陳列装置３０の前方まで移動していく。
【００８１】
本実施形態でも、図２２（Ａ）に示したように、例えば第２識別標記２３ｂが側方を向いた状態で容器２０が容器載置面３１Ａ（載置部３１）に置かれたとしても、前方に達する段階において、第２識別標記２３ｂが前方に向くようになる。このため、第２識別標記２３ｂが前方に向いていない状態で容器２０の載置（投入）を行ったとしても、陳列装置３０の前方側に容器２０が達した際に第２識別標記２３ｂが前方に向いた状態となる。即ち本実施形態でも、容器２０を陳列装置３０に投入する投入者が特別な操作をしないでも、識別標記２３が前方を向くこととなる。
【００８２】
なお、識別標記２３が前方を向いた状態で容器２０が投入された場合には、第２ガイド５２０の傾斜部５２２による突出部２４の持ち上げが行われない。このため、キャップ２２と第１ガイド５１０との接触も行われず、容器２０は投入されたときの姿勢を維持したまま（識別標記２３が前方を向いた状態を維持したまま）陳列装置３０の前方へ移動していく。
【００８３】
また、第１ガイド５１０および第２ガイド５２０は、図２４に示す形態とすることもできる。なお、以下においても、第１ガイド５１０および第２ガイド５２０を中心に説明するが、第１ガイド５１０および第２ガイド５２０は、上記にて説明した実施形態の構成によって、陳列装置３０の幅方向や高さ方向に移動可能に設けることができる。
【００８４】
図２４は、第１ガイド５１０および第２ガイド５２０の他の実施形態を説明するための図である。なお、図２４（Ａ）は第１ガイド５１０および第２ガイド５２０を上方から眺めた場合の図である。図２４（Ｂ）は第１ガイド５１０および第２ガイド５２０を陳列装置３０の側方から眺めた場合の図である。詳細には、第１ガイド５１０および第２ガイド５２０を陳列装置３０の右側から眺めた場合の図である。
【００８５】
同図（Ａ）、（Ｂ）に示すように、本実施形態における第１ガイド５１０も、上記と同様、載置部３１の上方に設けられている。また第１ガイド５１０は、載置部３１における容器載置面３１Ａと略平行に配置されている。また第１ガイド５１０は、後述する容器２０のキャップ２２の外周面に対向するように配置されている。また第１ガイド５１０は、基本形状がストレートの棒状となるように形成され、また、自身の後端部に傾斜部５１３を有している。この傾斜部５１３は、陳列装置３０の後方側に向かうに従い第２ガイド５２０から離れるように形成され、投入された容器２０のキャップ２２に接触し、容器２０を第２ガイド５２０側に誘導する。
【００８６】
第２ガイド５２０は、容器２０の移動経路に沿って設けられ且つ載置部３１の上方に設けられた棒状部材５１、この棒状部材５１に取り付けられ容器２０の移動経路の一方の側方からこの移動経路に突出した第１ピン５４１〜第５ピン５４５（突出部の一例）を備えている。ここで本実施形態では、容器２０の移動方向最上流側に第１ピン５４１が配置され、移動方向最下流側に第５ピン５４５が配置されている。また、第１ピン５４１〜第５ピン５４５の各々は、容器２０の移動方向において一定の間隙をおいて並んで配置されている。
【００８７】
また同図（Ｂ）に示すように、棒状部材５１には、前方に向かうに従い載置部３１から離れるような傾斜が付与されている。このため、本実施形態では、第１ピン５４１が載置部３１の最も近くに配置され、第５ピン５４５が載置部３１から最も離れた箇所に位置している。付言すれば第１ピン５４１〜第５ピン５４５は、高さ方向における位置が互いにずらされて配置されている。なお本図では、理解を容易にするため、棒状部材５１の傾斜を実際の傾斜よりも大きく表示している。また棒状部材５１は、基本形状がストレートの棒状となるように形成され、また、自身の後端部に傾斜部５１４を有している。この傾斜部５１４は、陳列装置３０の後方側に向かうに従い第１ガイド５１０から離れるように形成され、投入された容器２０を第１ガイド５１０側に誘導する。
【００８８】
次いで、図２４で示した陳列装置３０に用いられる容器２０について説明する。
図２５および図２６は、容器２０を説明するための図である。なお、図２５（Ａ）は容器２０の正面図を示し、同図（Ｂ）は容器２０の左側面図を示している。また、図２６（Ａ）は容器２０の背面図を示し、同図（Ｂ）は容器２０の右側面図を示している。また、図２５（Ａ）、（Ｂ）、図２６（Ａ）、（Ｂ）の各々の上部に表示した図は、Ａ−Ａ線における断面図を示している。
【００８９】
なお本実施形態における容器２０は、ＰＥＴ（ポリエチレンテレフタレート）などの樹脂材料により形成された容器を例示している。例えば、このような容器２０は、樹脂材料を用いた射出成形（ブロー成形）法、樹脂材料を用いてプリフォームを成形後、これをブロー成形する方法により製造することができる。
【００９０】
図２５（Ａ）に示すように本実施形態における容器２０も、上部に開口（飲み口）を有し且つ筒状に形成され内部に飲料が充填された容器本体２１と、容器本体２１の開口を塞ぐキャップ２２とを備えている。また容器本体２１の外周面には、フィルムＦが装着されている。なお容器本体２１は、上部側の径が底部側の径よりも小さくなっている。即ち、容器本体２１は、上部側が縮径された状態となっている。
【００９１】
ここでフィルムＦには、同図（Ａ）に示すように、商品名、商標名など他の商品と識別するための識別標記２３が印刷されている。また容器２０は、図２等で説明した容器２０と同様に、容器本体２１の上部に（キャップ２２の下部に）、容器本体２１の外周面から容器本体２１の径方向に突出するとともに容器本体２１の周方向に沿って形成された環状の突出部２４を備えている。ここで、この突出部２４は容器本体２１と一体に形成されている。
【００９２】
また本実施形態における容器２０は、図２５（Ａ）に示すように、突出部２４の下部であって容器本体２１の周囲に、容器本体２１の外周面から容器本体２１の径方向に向かって突出する第１突起２６１〜第５突起２６５を備えている。ここで第１突起２６１〜第５突起２６５の各々は、その上端部が突出部２４によって支持されており、突出部２４により支持されていない場合に比べ破損等しにくくなっている。なお本実施形態では、上端部が突出部２４により支持されている場合を説明したが、突出部２４を第１突起２６１〜第５突起２６５よりも下方に設け、第１突起２６１〜第５突起２６５の下端部が突出部２４により支持される構成とすることもできる。
【００９３】
ここで第１突起２６１は、識別標記２３が設けられた側であって容器２０の右側面側に設けられている（図２５（Ａ）参照）。また、第５突起２６５は、識別標記２３が設けられた側とは反対側であって容器２０の右側面側に設けられている（図２５（Ａ）の断面図参照）。また、第２突起２６２〜第４突起２６４は、第１突起２６１と第５突起２６５との間に配置されている。
【００９４】
また、第１突起２６１〜第５突起２６５は、容器２０の周方向（時計回り方向）において、第１突起２６１、第２突起２６２、第３突起２６３、第４突起２６４、第５突起２６５、の順に設けられている。また第１突起２６１〜第５突起２６５は、容器本体２１の周方向における所定範囲内に設けられている。また第１突起２６１〜第５突起２６５は、容器本体２１の周方向においてほぼ等間隔で配置されている。
【００９５】
さらに突出部２４からの突出量（容器本体２１の高さ方向における各突起の長さ）は、第１突起２６１が最も大きく、次いで第２突起２６２となっている。また、第３突起２６３の突出量は、第２突起２６２よりも小さく、第４突起２６４の突出量は、第３突起２６３よりも小さくなっている。そして、第５突起２６５の突出量が最も小さくなっている。なお本実施形態における容器２０において、容器本体２１の接線（図２５（Ａ）の断面図参照）よりも右方側にはいずれの突起も設けられていない。また第１突起２６１〜第５突起２６５の各々は、板状（リブ状）に形成されるとともに容器本体２１の高さ方向に沿って配置されている。さらに第１突起２６１〜第５突起２６５の各々は、放射状に配置されている。
【００９６】
また容器２０は、容器２０を識別標記２３が設けられた側から眺めた場合に（図２５（Ａ）参照）、容器２０の右側面側に、第１突起２６１〜第５突起２６５が設けられていない構成となっている。付言すると、第１突起２６１〜第５突起２６５が設けられている高さ方向の位置において、容器２０の右側面側は、容器本体２１が露出する状態となっている。さらに説明すると、容器本体２１の右側面に対する接線且つ容器２０の正面側から背面側に向かう接線であって上記第１突起２６１〜第５突起２６５が設けられた高さ位置を通る接線（図２５（Ａ）の断面図参照）よりも容器２０の右方側には、第１突起２６１〜第５突起２６５が設けられていない構成となっている。
【００９７】
なお上記と同様に、例えば、支持部材６４０（図５参照）を陳列装置３０の上下方向に移動可能な構成とすれば、陳列装置３０の高さ方向における第１ガイド５１０の位置を調整可能となる。同様に、支持部材７４０（図５参照）を陳列装置３０の上下方向に移動可能な構成とすれば、陳列装置３０の高さ方向における第２ガイド５２０の位置を調整可能となる。このように第１ガイド５１０、第２ガイド５２０の高さ方向における位置を調整可能に設けた場合、例えば、容器２０の種類が変更され、第１突起２６１〜第５突起２６５の位置が異なるようになったとしても容器２０の回転（後述）が可能となる。また、キャップ２２の位置に対応した位置に第１ガイド５１０を配置可能となる。
【００９８】
次いで陳列装置３０における容器２０の動作について説明する。
図２７は、陳列装置３０における容器２０の動作を説明するための図である。なお本図では、図を見やすくするため、突出部２４よりも上方に第１ピン５４１〜第５ピン５４５を表示している。また、本図ではキャップ２２の図示を省略している。同図の符号５Ａに示すように、識別標記２３が右斜め前方を向いた状態で容器２０が陳列装置３０に投入された場合、第１ピン５４１に対し第１突起２６１が突き当たるようになる。これによって容器２０には回転力が付与され、容器２０は反時計回りの回転を行うようになる。次いで容器２０の前方への移動に伴い、第２ピン５４２に対し第２突起２６２が突き当たり（符号５Ｂ参照）、容器２０は同様に反時計回りの回転を行う。
【００９９】
その後、容器２０は、第３ピン５４３に第３突起２６３が突き当たり、第４ピン５４４に第４突起２６４が突き当たることで、周方向の回転を順次行っておく。即ち本実施形態では、容器２０に設けられた突起に対して陳列装置３０側に設けられたピンが順次接触し、容器２０が周方向の回転を行う。そして最終的に、第５突起２６５が第５ピン５４５に突き当たることで（符号５Ｃ参照）、識別標記２３が前方を向くようになる。その後、容器２０は、載置部３１上をスライドし陳列装置３０の前方に到達する。なお、容器２０に設けられた各突起が陳列装置３０側に設けられたピンに接触した際にこのピン側から抗力を受け、容器２０が第２ガイド５２０から離れるように移動してしまうおそれがある。そこで本実施形態では第１ガイド５１０を設け、第２ガイド５２０から離れる方向への容器２０の移動を規制している。
【０１００】
本実施形態では、識別標記２３と第１突起２６１〜第５突起２６５が設けられた領域とが予め定められた位置関係を有して配置されている。また、識別標記２３と第１突起２６１〜第５突起２６５が設けられていない領域も予め定められた位置関係を有して配置されている。具体的には、識別標記２３が一方向を向いている場合に、第１突起２６１〜第５突起２６５が設けられていない領域がこの一方向と直交する方向を向くようになっている。
【０１０１】
このため本実施形態では、識別標記２３が前方以外の方向を向いている場合には容器２０が回転し、識別標記２３が前方を向いている場合には容器２０は回転を行わない。付言すると、識別標記２３が前方に向いていない状態で容器２０の投入を行ったとしても、陳列装置３０の前方側に容器２０が達した際に識別標記２３を前方に向いた状態となる。即ち本実施形態では、容器２０を陳列装置３０に投入する投入者が特別な操作をしないでも、識別標記２３が前方を向くこととなる。
【０１０２】
なお上記では説明を省略したが、第１ピン５４１〜第５ピン５４５の各々は、高さ方向における位置が予め調整されている。即ち、第１ピン５４１と第１突起２６１とが突き当たるように、第２ピン５４２と第２突起２６２とが突き当たるように、第３ピン５４３と第３突起２６３とが突き当たるように、第１ピン５４１〜第３ピン５４３の各々は、高さ方向における位置が予め調整されている。また、第４ピン５４４と第４突起２６４とが突き当たるように、第５ピン５４５と第５突起２６５とが突き当たるように、第４ピン５４４、第５ピン５４５の各々は、高さ方向における位置が予め調整されている。
【０１０３】
図２７（Ｂ）を参照して容器２０の他の動作例を説明する。
同図に示すように、識別標記２３が陳列装置３０の後方側を向いた状態で容器２０が投入された場合、第３突起２６３が第１ピン５４１〜第５ピン５４５が設けられている側と対峙するようになる。そしてこの容器２０は前方へ移動することとなるが、この第３突起２６３は、第１ピン５４１、第２ピン５４２（図２４（Ｂ）も参照）の上方を通過するようになる。このため、容器２０は、回転せずに第３ピン５４３まで到達する。そして、容器２０はこの第３ピン５４３から回転力を受け上記と同様に回転を行う。そして容器２０は、上記と同様に、識別標記２３が前方を向いた状態で陳列装置３０の前方に到達する。
【０１０４】
図２８は、容器２０の他の動作例を示した図である。
図２８（Ａ）に示すように、識別標記２３が陳列装置３０の左後方を向いた状態で容器２０が投入された場合、第４突起２６４が第１ピン５４１〜第５ピン５４５が設けられている側と対峙するようになる。そして容器２０は前方へ移動することとなるが、この第４突起２６４は、第１ピン５４１〜第３ピン５４３（図２４（Ｂ）も参照）の上方を通過するようになる。このため、容器２０は、回転せずに第４ピン５４４まで到達する。そして、容器２０はこの第４ピン５４４から回転力を受け上記と同様に回転を行う。そして容器２０は、上記と同様に、識別標記２３が前方を向いた状態で陳列装置３０の前方に到達する。
【０１０５】
また図２８（Ｂ）に示すように、識別標記２３が前方を向いた状態で容器２０が投入される場合もある。この場合、容器２０の側面であって第１ピン５４１〜第５ピン５４５が配置された側と対向する側面には、第１突起２６１〜第５突起２６５が存在しない状態となる。付言すれば、第１突起２６１〜第５突起２６５が存在しない領域（面）と、第１ピン５４１〜第５ピン５４５が配置された側とが対峙するようになる。さらに付言すれば、第１ピン５４１〜第５ピン５４５に突き当たる第１突起２６１〜第５突起２６５が、容器２０の図中右側面側に位置しない状態となる。このため、容器２０は、回転を行うことなく陳列装置３０の前方まで到達する。即ち、識別標記２３が前方を向いた状態を維持したまま陳列装置３０の前方まで到達する。
【０１０６】
ここで、上記では一つの容器２０を投入した場合の動作を説明したが、陳列装置３０に既に複数の容器２０が陳列されている場合には、先頭に位置する容器２０の取り出しを行うと、この容器２０の分、空間が形成される。そして、この空間に向かって２番目の容器２０が移動するようになる。また、この２番目の容器２０に後続する容器２０の移動も開始される。この際、各容器２０は、第１ピン５４１〜第５ピン５４５により回転し、各容器２０の識別標記２３が前方を向くようになる。
【０１０７】
また容器２０は次のような形態とすることもできる。図２９、図３０は、容器２０の他の形態を示した図である。なお、図２９（Ａ）は容器２０の正面図を示し、同図（Ｂ）は容器２０の左側面図を示している。また、図３０（Ａ）は容器２０の背面図を示し、同図（Ｂ）は容器２０の右側面図を示している。また、図２９（Ａ）、（Ｂ）、図３０（Ａ）、（Ｂ）の各々の上部に表示した図は、Ａ−Ａ線における断面図である。
【０１０８】
上記では、第１突起２６１〜第５突起２６５の各々の高さを異ならせるとともに、陳列装置３０における第１ピン５４１〜第５ピン５４５の高さを異ならせた。一方で、第１突起２６１〜第５突起２６５の高さ方向における寸法を、図２９、図３０に示すように等しくしてもよい。換言すると、第１突起２６１〜第５突起２６５の高さ方向における寸法に差を付けない構成とすることもできる。また、陳列装置３０における第１ピン５４１〜第５ピン５４５の高さ（第１ピン５４１〜第５ピン５４５の載置部３１からの高さ）を等しくすることができる。付言すると、棒状部材５１（図２４参照）に傾斜を付与しない構成とすることができる。
【０１０９】
ここで図３１は、陳列装置３０における容器２０の動作を示した図である。なお、本実施形態における陳列装置３０では、上記のとおり、第１ピン５４１〜第５ピン５４５の高さを異ならせず、載置部３１からほぼ等しい高さ位置に第１ピン５４１〜第５ピン５４５を配置している。
【０１１０】
例えば、図３１（Ａ）に示すように、識別標記２３が右斜め前方を向いた状態で容器２０が投入された場合、まず第１突起２６１が第１ピン５４１に突き当たる。これによって容器２０は反時計回りの回転を行う。その後、容器２０は、第２突起２６２が第２ピン５４２に突き当たり、第３突起２６３が第３ピン５４３に突き当たり、第４突起２６４が第４ピン５４４に突き当たることで、順次回転を行う。そして、容器２０は、第５突起２６５が第５ピン５４５に突き当たることで更に回転する。この結果、識別標記２３が前方を向くようになる。
【０１１１】
また、例えば、図３１（Ｂ）に示すように、識別標記２３が後方を向いた状態で容器２０が投入された場合、まず第３突起２６３が第１ピン５４１に突き当たる。これによって容器２０は反時計回りの回転を行う。その後、容器２０は、第４突起２６４が第２ピン５４２に突き当たり、第５突起２６５が第３ピン５４３に突き当たることで、順次回転を行う。これによって、識別標記２３が前方を向くようになる。そしてこの場合、第１突起２６１〜第５突起２６５が設けられていない部位が、第１ピン５４１〜第５ピン５４５が配置された側に対向する状態となる。この結果、容器２０は、残りの第４ピン５４４、第５ピン５４５に突き当たることなく前方へ移動していく。
【０１１２】
なお上記では、第１突起２６１〜第５突起２６５が容器本体２１の外周面から容器本体２１の径方向に突出した場合を一例に説明したが、第１突起２６１〜第５突起２６５は突出部２４から突出するように設けることができる。より具体的には、突出部２４の下面から下方に向かって突出するように第１突起２６１〜第５突起２６５を設けることができる。またこの場合、第１突起２６１〜第５突起２６５の各々を板状とせず、円柱状などの柱状とすることもできる。さらに突出部２４を下方にずらして配置し、突出部２４の上面から上方に向かって突出するように第１突起２６１〜第５突起２６５を設けることもできる。
【０１１３】
また上記では、板状に形成された第１突起２６１〜第５突起２６５の一方の面に対し第１ピン５４１〜第５ピン５４５を接触させたが、第１ピン５４１〜第５ピン５４５を接触させる面は、次のように形成することもできる。なお以下の態様では、第１平坦面２５１〜第６平坦面２５６の６つの面が設けられる。このため、陳列装置３０には、第１ピン５４１〜第５ピン５４５に加え第６ピン（不図示）が設けられる。
【０１１４】
図３２および図３３は、容器２０の他の一形態を示した図である。
なお、図３２（Ａ）は容器２０の正面図を示し、同図（Ｂ）は容器２０の左側面図を示している。また、図３３（Ａ）は容器２０の背面図を示し、同図（Ｂ）は容器２０の右側面図を示している。また、図３２（Ａ）、（Ｂ）、図３３（Ａ）、（Ｂ）の各々の上部に表示した図は、Ａ−Ａ線における断面図を示している。
【０１１５】
本実施形態における容器２０は、突出部２４の下部且つ小径部２１１に、突出部２５を備えている。ここで、この突出部２５の突出量は、突出部２４の突出量よりも小さくなっている。この場合、突出部２５が突出部２４よりも突出している場合に比べ、キャップ２２を操作をする際のユーザの手指が突出部２５に引っ掛かりにくくなる。また、突出部２５は、図３２（Ａ）の断面図に示すように、識別標記２３が設けられた側から識別標記２３が設けられた側とは反対側にかけて、容器本体２１に巻き付くように設けられている。付言すれば、識別標記２３が設けられた側から反対側に向かって時計回り方向に沿って設けられている。さらに説明すると、突出部２５は容器本体２１の周方向における所定範囲内に設けられている。
【０１１６】
さらに説明すると、容器２０は、容器２０を識別標記２３が設けられた側から眺めた場合に（図３２（Ａ）参照）、容器２０の右側面側に、突出部２５が設けられていない構成となっている。付言すると、突出部２５が設けられている高さ方向の位置において、容器２０の右側面側は（突出部２５に隣接する領域は）、容器本体２１が露出する状態となっている。さらに説明すると、容器本体２１の右側面に対する接線且つ容器２０の正面側から背面側に向かう接線であって上記突出部２５が設けられた高さ位置を通る接線（図３２（Ａ）の断面図参照）よりも容器２０の右方側には、突出部２５が設けられていない構成となっている。
【０１１７】
また、突出部２５は、その下面が階段状に形成されており、複数の段部を備えた構成となっている。詳細に説明すると、突出部２５は、時計回り方向に進むに従い高さが減少するように、その下面が階段状に形成されている。このため、本実施形態における突出部２５は、その下部に、高さ方向における位置が互いに異なる第１平坦面２５１〜第６平坦面２５６を備えた構成となっている。付言すると突出部２５は、高さ方向における位置が互いに異なりまた容器本体２１の周方向における位置が互いに異なる複数の端面を有している。なお突出部２５における上記階段状の部位は突出部２５の上部側に設けることもできる。
【０１１８】
ここで、第１平坦面２５１〜第６平坦面２５６の各々は、図３２（Ａ）の断面図に示すように、容器本体２１の外周面（外表面）に対して交差する関係（略直交する関係）で配置されている。また、第１平坦面２５１は、図３２（Ａ）に示すように、識別標記２３が設けられた側に位置している。また、第６平坦面２５６は、図３３（Ａ）に示すように、識別標記２３が設けられた側とは反対側に位置している。また、第２平坦面２５２〜第５平坦面２５５は、第１平坦面２５１から第６平坦面２５６に向かって、第２平坦面２５２、第３平坦面２５３、第４平坦面２５４、第５平坦面２５５の順に設けられている。さらに、容器２０の周方向において、第１平坦面２５１〜第６平坦面２５６は所定の角度毎に設けられている。また、第１平坦面２５１が最も下部に位置し第６平坦面２５６が最も上部に位置している。
【０１１９】
図３２、図３３に示した容器２０が陳列装置３０に投入された場合、図２７、図２８で示した動作と同様の動作を容器２０は行う。即ち、識別標記２３が陳列装置３０の前方以外を向いた状態で容器２０が投入された場合、第１平坦面２５１〜第６平坦面２５６に対して陳列装置３０側に設けられたピンが接触し容器２０が回転する。これにより容器２０に付された識別標記２３が陳列装置３０の前方を向くようになる。また、識別標記２３が陳列装置３０の前方を向いた状態で容器２０が投入された場合、識別標記２３が陳列装置３０の前方を向いた状態を維持しながら容器２０は陳列装置３０の前方まで移動していく。
【符号の説明】
【０１２０】
２０…容器、２１…容器本体、２２…キャップ、２４…突出部、３０…陳列装置、３１…載置部、５１０…第１ガイド、５２０…第２ガイド、９１０…スライド部材、９２０…移動部材
【図１】
2011147565.tif 000003
【図２】
2011147565.tif 000004
【図３】
2011147565.tif 000005
【図４】
2011147565.tif 000006
【図５】
2011147565.tif 000007
【図６】
2011147565.tif 000008
【図７】
2011147565.tif 000009
【図８】
2011147565.tif 000010
【図９】
2011147565.tif 000011
【図１０】
2011147565.tif 000012
【図１１】
2011147565.tif 000013
【図１２】
2011147565.tif 000014
【図１３】
2011147565.tif 000015
【図１４】
2011147565.tif 000016
【図１５】
2011147565.tif 000017
【図１６】
2011147565.tif 000018
【図１７】
2011147565.tif 000019
【図１８】
2011147565.tif 000020
【図１９】
2011147565.tif 000021
【図２０】
2011147565.tif 000022
【図２１】
2011147565.tif 000023
【図２２】
2011147565.tif 000024
【図２３】
2011147565.tif 000025
【図２４】
2011147565.tif 000026
【図２５】
2011147565.tif 000027
【図２６】
2011147565.tif 000028
【図２７】
2011147565.tif 000029
【図２８】
2011147565.tif 000030
【図２９】
2011147565.tif 000031
【図３０】
2011147565.tif 000032
【図３１】
2011147565.tif 000033
【図３２】
2011147565.tif 000034
【図３３】
2011147565.tif 000035